(57)【要約】【課題】即時に使用可能な状態で、逆浸透膜エレメントを衛生的に保管する。【解決手段】少量の処理水を生産する際、被処理水を後段バンク１８のみに供給し、後段バンク１８の濃縮水の一部を、後段バンク１８に循環する。そして、後段バンク１８の透過水を、前段バンク１２に供給した後、濃縮水室１２ａから、或いは、更に透過水室１２ｂから、処理水として取得する。又、大量の処理水を生産する際、前段バンク１２と後段バンク１８とを直列に用いて、前段バンク１２と後段バンク１８との双方から、処理水を取得する。これにより、少量又は大量の何れの処理水を生産する場合でも、前段バンク１２及び後段バンク１８の双方に、被処理水や透過水が供給されるため、逆浸透膜エレメント１６、２２を衛生的に保つことができる。更に、重亜硫酸ナトリウム等の保持液を用いていないため、運転状態の切り替えを即時に行うことができる。【選択図】図２
2015139750.tif 000002
【特許請求の範囲】
【請求項１】
逆浸透膜により被処理水を浄化する逆浸透膜装置であって、
逆浸透膜エレメントを備えたベッセルで構成される前段バンク及び後段バンクと、
被処理水を前記前段バンクへ供給するための前段供給経路と、被処理水を前記後段バンクへ供給するための後段供給経路と、前記前段バンクの濃縮水を前記後段バンクへ供給するための中間経路と、前記後段バンクの濃縮水を排水するための排水経路と、前記後段バンクの濃縮水を前記後段バンクに循環するための循環経路と、前記前段バンクの透過水を処理水として得るための前段処理水経路と、前記後段バンクの透過水を処理水として得るための後段処理水経路と、前記後段バンクの透過水を前記前段バンクへ供給するための保守用経路と、該保守用経路を介して前記前段バンクへ供給された透過水を、前記前段バンクから処理水として得るための保守用処理水経路とを含むことを特徴とする逆浸透膜装置。
【請求項２】
前記前段供給経路は、前記前段バンクへ被処理水を供給する前段供給ポンプと、該前段供給ポンプより上流に設置される前段供給バルブと、前記前段供給ポンプより下流に設置される前段制御バルブとを有し、
前記中間経路は、前記前段バンクから前記後段バンクへの通水を制御する中間バルブを有し、
前記排水経路は、前記後段バンクの濃縮水の排水を制御する排水バルブを有し、
前記後段供給経路は、前記後段バンクへ被処理水を供給する後段供給ポンプと、該後段供給ポンプより上流に設置される後段供給バルブとを有し、前記中間バルブより下流で前記中間経路に合流し、
前記循環経路は、前記後段バンクの濃縮水を前記後段バンクに循環する循環ポンプと、該循環ポンプより上流に設置される循環バルブとを有し、前記排水バルブより上流で前記排水経路から分岐し、前記中間バルブより下流で前記中間経路に合流し、
前記前段処理水経路は、処理水の取得を制御する前段処理水バルブを有し、
前記後段処理水経路は、処理水の取得を制御する後段処理水バルブを有し、
前記保守用経路は、前記前段バンクに対する前記後段バンクの透過水の供給を制御する保守用バルブを有し、前記後段処理水バルブより上流で前記後段処理水経路から分岐し、前記前段制御バルブより下流で前記前段供給経路に合流し、
前記保守用処理水経路は、処理水の取得を制御する保守用処理水バルブを有し、前記中間バルブより上流で前記中間経路から分岐することを特徴とする請求項１記載の逆浸透膜装置。
【請求項３】
前記前段バンクのベッセルと、前記後段バンクのベッセルとは、スパイラル型逆浸透膜エレメントを備えることを特徴とする請求項１又は２記載の逆浸透膜装置。
【請求項４】
前記前段バンクは、８インチ逆浸透膜エレメントを直列に４本備えた１本のベッセルで構成され、前記後段バンクは、８インチ逆浸透膜エレメントを１本備えた１本のベッセルで構成されることを特徴とする請求項１から３のいずれか１項記載の逆浸透膜装置。
【請求項５】
前記前段バンクは、４インチ逆浸透膜エレメントを直列に４本備えたベッセルを、４本並列にして構成され、前記後段バンクは、４インチ逆浸透膜エレメントを直列に２本備えたベッセルを、２本並列にして構成されることを特徴とする請求項１から３のいずれか１項記載の逆浸透膜装置。
【請求項６】
逆浸透膜エレメントを備えたベッセルで構成される前段バンク及び後段バンクを含む逆浸透膜装置の運転方法であって、
被処理水を前記後段バンクのみに供給し、前記後段バンクの濃縮水の一部を排水しながら、前記後段バンクの濃縮水の残部を前記後段バンクに循環させ、前記後段バンクの透過水を前記前段バンクに供給して、前記前段バンクの濃縮水室から処理水として取得する第１の運転状態と、
該第１の運転状態から、前記後段バンクの濃縮水の排水量と前記前段バンクの濃縮水室から取得する処理水の量とを小さくして、前記前段バンクへ供給された前記後段バンクの透過水を、前記前段バンクの透過水室と濃縮水室とから、処理水として取得する第２の運転状態と、
被処理水を前記前段バンクに供給すると供に、前記前段バンクの濃縮水を前記後段バンクへ供給し、前記後段バンクの濃縮水を排水しながら、前記前段バンクの透過水と前記後段バンクの透過水とを、処理水として取得する第３の運転状態とを含むことを特徴とする逆浸透膜装置の運転方法。
【発明の詳細な説明】
【技術分野】
【０００１】
本発明は、逆浸透膜装置及びその運転方法に関するものである。
【背景技術】
【０００２】
表流水や地下水に含まれる溶存塩類や溶存有機物を除去する際、一般的に、逆浸透膜エレメントが用いられている。この逆浸透膜エレメントは、芳香族系ポリアミド樹脂で製膜した逆浸透膜が用いられることが多く、スパイラル型や中空糸型等のモジュールがある。ポリアミド製の逆浸透膜エレメントを長期間使用しない場合には、微生物を発生増殖させることなく衛生的に保管しておくために、逆浸透膜エレメントを重亜硫酸ナトリウム溶液により浸漬・湿潤状態に保持することが一般的である。この理由は、ポリアミド製の逆浸透膜は、耐塩素性がなく、一般的に滅菌剤として用いられる次亜塩素酸ナトリウムが使用できないためである。従って、例えば、大量の浄水を生産する非常時に備えて待機させている逆浸透膜装置の逆浸透膜エレメントを、衛生的に保管しておくためには、重亜硫酸ナトリウム溶液を保持液として浸漬・湿潤状態に保持する必要がある（例えば、非特許文献１参照）。
【先行技術文献】
【非特許文献】
【０００３】
【非特許文献１】「スパイラル型逆浸透エレメント  ＥＳＰＡ２  ＭＡＸ  製品仕様・検査要領書」、日東電工株式会社メンブレン事業部、２０１０年４月、改正２版、ｐ．５
【発明の概要】
【発明が解決しようとする課題】
【０００４】
しかしながら、上述のように保管している逆浸透膜エレメントを使用する際には、保持液を抜いた後、重亜硫酸ナトリウムを含まない状態になるまで、逆浸透膜の透過水を捨て水する操作が必要となる。このため、特に非常時用に待機させている逆浸透膜エレメントを有する逆浸透膜装置の場合には、装置が起動運転されるまで、時間がかかり過ぎるという課題がある。
一方、非常時用の逆浸透膜装置を、平常時の浄水処理に用いながら待機させておく方法も考えられるが、この場合には、大量の浄水処理に対応した逆浸透膜装置から、平常時の少量の浄水を得るために、間欠的に装置を起動させるか、若しくは低圧で逆浸透膜透過させる必要がある。しかしながら、間欠的に逆浸透膜装置を起動させると、例えば、スパイラル型逆浸透膜エレメントの場合には、エレメント接続部のシール性を損なう虞がある。又、低圧で逆浸透膜透過させる運転方法は、溶存塩類の阻止性が悪化するという問題に加え、少量の浄水を得るための消費電力が大きく、非経済的になってしまう。
【０００５】
本発明は上記課題に鑑みてなされたものであり、その目的とするところは、即時に使用可能な状態で、逆浸透膜エレメントを衛生的に保管することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）逆浸透膜により被処理水を浄化する逆浸透膜装置であって、逆浸透膜エレメントを備えたベッセルで構成される前段バンク及び後段バンクと、被処理水を前記前段バンクへ供給するための前段供給経路と、被処理水を前記後段バンクへ供給するための後段供給経路と、前記前段バンクの濃縮水を前記後段バンクへ供給するための中間経路と、前記後段バンクの濃縮水を排水するための排水経路と、前記後段バンクの濃縮水を前記後段バンクに循環するための循環経路と、前記前段バンクの透過水を処理水として得るための前段処理水経路と、前記後段バンクの透過水を処理水として得るための後段処理水経路と、前記後段バンクの透過水を前記前段バンクへ供給するための保守用経路と、該保守用経路を介して前記前段バンクへ供給された透過水を、前記前段バンクから処理水として得るための保守用処理水経路とを含む逆浸透膜装置（請求項１）。
【０００８】
本項に記載の逆浸透膜装置は、例えば井戸水等の被処理水を、逆浸透膜により浄化するものであり、前段バンクと後段バンクとを含み、２つのバンクの各々が、逆浸透膜エレメントを備えたベッセルで構成されている。更に、本項に記載の逆浸透膜装置は、前段バンクと後段バンクとを用いて被処理水を浄化する際に使用する経路として、前段供給経路、後段供給経路、中間経路、排水経路、循環経路、前段処理水経路、後段処理水経路、保守用経路、及び、保守用処理水経路を備えている。前段供給経路は、被処理水を前段バンクに供給する際に用いられ、後段供給経路は、被処理水を後段バンクに供給する際に用いられる。すなわち、前段バンクと後段バンクとに対し、個別に被処理水の供給経路が確保されている。又、前段処理水経路は、前段バンクの逆浸透膜エレメントを透過した透過水を、前段バンクから処理水として取り出すための経路であり、後段処理水経路は、後段バンクの逆浸透膜エレメントを透過した透過水を、後段バンクから処理水として取り出すための経路である。
【０００９】
中間経路は、前段バンクと後段バンクとの間に設けられ、前段バンクと後段バンクとを直列に用いて浄化処理を行う際に、前段バンクの濃縮水を後段バンクへ供給するために使用される。又、排水経路は、後段バンクの濃縮水を排水するための経路であり、循環経路は、後段バンクの濃縮水を後段バンクに循環するための経路である。排水経路と循環経路とは、後段バンクの濃縮水室に接続される。又、保守用経路は、被処理水が後段バンクのみに供給された際に、後段バンクの透過水を前段バンクへ供給するための経路であり、保守用処理水経路は、保守用経路を介して前段バンクへ供給された透過水を、前段バンクの濃縮水室から処理水として取得するための経路である。
【００１０】
従って、本項に記載の逆浸透膜装置は、上述したような、前段供給経路及び後段供給経路と、前段処理水経路及び後段処理水経路と、中間経路とを備えているため、複数のパターンの運用に対応するものである。例えば、少量の処理水を生産する場合は、後段供給経路と後段処理水経路とを利用して後段バンクのみで浄化処理を行い、大量の処理水を生産する場合は、前段供給経路と前段処理水経路と中間経路と後段処理水経路とを利用して、前段バンクと後段バンクとを直列に用いて浄化処理を行うものである。更に、循環経路を備えていることから、例えば、少量の処理水を得るために、後段バンクのみに被処理水を供給して浄化処理を行う際に、後段バンクに供給する被処理水の量が、後段バンクを構成している逆浸透膜エレメントが必要とする標準の供給水量を満たさない場合であっても、循環経路を利用して必要水量を確保する。すなわち、循環経路により後段バンクの濃縮水を後段バンクに循環することで、後段バンクに供給する被処理水の量と、循環する水量とを合わせて、後段バンクが必要とする標準の供給水量を確保するものである。
【００１１】
更に、本項に記載の逆浸透膜装置は、保守用経路及び保守用処理水経路を備えているため、例えば、被処理水を後段バンクのみに供給する場合であっても、保守用経路を介して、後段バンクの透過水を前段バンクに供給するものである。そして、保守用処理水経路により、或いは、保守用処理水経路と前段処理水経路とにより、前段バンクの濃縮水室や透過水室から処理水を取り出すこととすれば、後段バンクのみに被処理水を供給しているにも関わらず、前段バンクに後段バンクの透過水が常に供給される。これにより、前段バンクと後段バンクとの双方の逆浸透膜エレメントを、衛生的に保持するものとなる。更に、本項に記載の逆浸透膜装置は、逆浸透膜エレメントの保持に重亜硫酸ナトリウム等の保持液を用いた場合に必要な、捨て水等の操作が不要である。このため、例えば、後段バンクのみに被処理水を供給して少量の処理水を生産している運転状態から、前段バンクと後段バンクとを直列に用いて、大量の処理水を生産する運転状態に切り替える場合でも、即時に対応するものである。
【００１２】
（２）上記（１）項において、前記前段供給経路は、前記前段バンクへ被処理水を供給する前段供給ポンプと、該前段供給ポンプより上流に設置される前段供給バルブと、前記前段供給ポンプより下流に設置される前段制御バルブとを有し、前記中間経路は、前記前段バンクから前記後段バンクへの通水を制御する中間バルブを有し、前記排水経路は、前記後段バンクの濃縮水の排水を制御する排水バルブを有し、前記後段供給経路は、前記後段バンクへ被処理水を供給する後段供給ポンプと、該後段供給ポンプより上流に設置される後段供給バルブとを有し、前記中間バルブより下流で前記中間経路に合流し、前記循環経路は、前記後段バンクの濃縮水を前記後段バンクに循環する循環ポンプと、該循環ポンプより上流に設置される循環バルブとを有し、前記排水バルブより上流で前記排水経路から分岐し、前記中間バルブより下流で前記中間経路に合流し、前記前段処理水経路は、処理水の取得を制御する前段処理水バルブを有し、前記後段処理水経路は、処理水の取得を制御する後段処理水バルブを有し、前記保守用経路は、前記前段バンクに対する前記後段バンクの透過水の供給を制御する保守用バルブを有し、前記後段処理水バルブより上流で前記後段処理水経路から分岐し、前記前段制御バルブより下流で前記前段供給経路に合流し、前記保守用処理水経路は、処理水の取得を制御する保守用処理水バルブを有し、前記中間バルブより上流で前記中間経路から分岐する逆浸透膜装置（請求項２）。
【００１３】
本項に記載の逆浸透膜装置は、上記のような構成により、各経路への通水や各バンクへの供給を制御するものである。すなわち、前段供給経路の前段供給バルブは、前段供給経路に対する被処理水の通水を制御し、前段供給バルブの下流に設置される前段供給ポンプは、前段供給経路に通水された被処理水を前段バンクへ供給する。前段供給ポンプの下流に設置される前段制御バルブは、開状態で、前段供給ポンプにより供給される被処理水を前段バンクへ通水し、閉状態で、前段制御バルブの下流で前段供給経路に合流する保守用経路を、前段供給経路から分離する。又、後段供給経路の後段供給バルブは、後段供給経路に対する被処理水の通水を制御し、後段供給バルブの下流に設置される後段供給ポンプは、後段供給経路に通水された被処理水を後段バンクへ供給する。又、中間経路の中間バルブは、開状態で、前段バンクの濃縮水を後段バンクへ通水し、閉状態で、中間バルブより上流で中間経路から分岐する保守用処理水経路と、中間バルブより下流で中間経路へ合流する後段供給経路及び循環経路とを分離する。
【００１４】
排水経路の排水バルブは、後段バンクの濃縮水の排水量を制御する。又、循環経路の循環バルブは、排水バルブより上流で排水経路から分岐する循環経路に対する、後段バンクの濃縮水の通水を制御し、循環バルブの下流に設置される循環ポンプは、循環経路に通水された後段バンクの濃縮水を後段バンクへ供給する。前段処理水経路の前段処理水バルブは、前段バンクからの処理水の取得や、取得する処理水量の制御を行い、後段処理水経路の後段処理水バルブは、後段バンクからの処理水の取得や、取得する処理水量の制御を行う。保守用経路の保守用バルブは、後段処理水バルブより上流で後段処理水経路から分岐する保守用経路への、後段バンクの透過水の通水を制御する。保守用処理水経路の保守用処理水バルブは、前段バンクに供給された後段バンクの透過水の、前段バンクからの処理水としての取得や、取得する処理水量の制御を行う。
【００１５】
そして、本項に記載の逆浸透膜装置は、上述した複数の制御の組み合わせにより、複数のパターンの運用に対応するものである。例えば、少量の処理水を生産する場合には、前段供給バルブを閉状態、前段供給ポンプを停止状態、後段供給バルブを開状態、後段供給ポンプを起動状態として、後段供給経路を介して後段バンクのみに被処理水を供給する。又、排水バルブ及び循環バルブを開状態、循環ポンプを起動状態として、後段バンクの濃縮水の一部を、循環経路を介して後段バンクに循環しながら、後段バンクの濃縮水の残部を、排水経路を介して排水する。更に、後段処理水バルブを閉状態、保守用バルブを開状態、前段制御バルブを閉状態とし、後段バルブの透過水を、保守用経路を介して前段バンクに供給する。そして、保守用処理水バルブを開状態とし、前段バンクの濃縮水室を経た後段バンクの透過水を、保守用処理水経路を介して処理水として取得する。この際、中間バルブは閉状態とし、前段バンクの濃縮水室を経た後段バンクの透過水が、中間経路を経て後段バンクに供給されないようにする。更に、前段処理水バルブを開状態とし、前段バンクに供給された後段バンクの透過水を、前段バンクの濃縮水室に加え、前段バンクの透過水室からも、処理水として取得することとしてもよい。
【００１６】
又、大量の処理水を生産する場合には、前段バンクと後段バンクとを直列に用いる。すなわち、前段供給バルブ及び前段制御バルブを開状態、前段供給ポンプを起動状態、後段供給バルブを閉状態、後段供給ポンプを停止状態として、前段供給経路を介して前段バンクのみに被処理水を供給する。又、中間バルブを開状態、保守用処理水バルブを閉状態とし、前段バンクの濃縮水を、中間経路を介して後段バンクに供給する。更に、排水バルブを開状態、循環バルブを閉状態、循環ポンプを停止状態として、後段バンクの濃縮水を、後段バンクに循環せずに、排水経路を介して全て排水する。そして、前段処理水バルブ及び後段処理水バルブを開状態、保守用バルブを閉状態として、前段バンクの透過水は前段処理水経路を介して、後段バンクの透過水は後段処理水経路を介して、夫々、処理水として取得する。
従って、本項に記載の逆浸透膜装置は、各経路に設置されたバルブやポンプを利用することで、各運転状態において、前段バンクと後段バンクとの双方を衛生的に保ちながら、浄化処理を適切に行うものである。更に、バルブやポンプを制御することのみで、複数の運転状態の切り替えを行うものであるため、運転状態の切り替えに迅速に対応するものである。
【００１７】
（３）上記（１）（２）項において、前記前段バンクのベッセルと、前記後段バンクのベッセルとは、スパイラル型逆浸透膜エレメントを備える逆浸透膜装置（請求項３）。
本項に記載の逆浸透膜装置は、前段バンクのベッセルと後段バンクのベッセルとが、スパイラル型逆浸透膜エレメントを備えることで、各バンクにおいて、低圧で高水量を得るものとなる。更に、スパイラル型逆浸透膜エレメントは、逆浸透膜エレメントとして広く利用されているため、比較的容易に入手されるものである。
【００１８】
（４）上記（１）から（３）項において、前記前段バンクは、８インチ逆浸透膜エレメントを直列に４本備えた１本のベッセルで構成され、前記後段バンクは、８インチ逆浸透膜エレメントを１本備えた１本のベッセルで構成される逆浸透膜装置（請求項４）。
本項に記載の逆浸透膜装置は、前段バンクが、８インチ逆浸透膜エレメントを直列に４本備えた１本のベッセルで構成され、後段バンクが、８インチ逆浸透膜エレメントを１本備えた１本のベッセルで構成されており、双方のバンクを比較すると、前段バンクが比較的大規模であり、後段バンクが比較的小規模なものである。従って、例えば、少量の処理水を生産する場合は、後段バンクを主として用い、大量の処理水を取得する場合は、前段バンクと後段バンクとの双方を用いることとすれば、処理水の生産量に合わせて、効率よく浄化処理を行うものとなる。
【００１９】
（５）上記（１）から（３）項において、前記前段バンクは、４インチ逆浸透膜エレメントを直列に４本備えたベッセルを、４本並列にして構成され、前記後段バンクは、４インチ逆浸透膜エレメントを直列に２本備えたベッセルを、２本並列にして構成される逆浸透膜装置（請求項５）。
本項に記載の逆浸透膜装置は、上記（４）項に記載の逆浸透膜装置と同様に、前段バンクが比較的大規模であり、後段バンクが比較的小規模なものである。従って、上述したように、少量の処理水を生産する場合は、後段バンクを主として用い、大量の処理水を取得する場合は、前段バンクと後段バンクとの双方を用いることとすれば、処理水の生産量に合わせて、効率よく浄化処理を行うものとなる。
【００２０】
（６）上記（５）項において、逆浸透膜エレメントを備えたベッセルで構成される前段バンク及び後段バンクを含む逆浸透膜装置の運転方法であって、被処理水を前記後段バンクのみに供給し、前記後段バンクの濃縮水の一部を排水しながら、前記後段バンクの濃縮水の残部を前記後段バンクに循環させ、前記後段バンクの透過水を前記前段バンクに供給して、前記前段バンクの濃縮水室から処理水として取得する第１の運転状態と、該第１の運転状態から、前記後段バンクの濃縮水の排水量と前記前段バンクの濃縮水室から取得する処理水の量とを小さくして、前記前段バンクへ供給された前記後段バンクの透過水を、前記前段バンクの透過水室と濃縮水室とから、処理水として取得する第２の運転状態と、被処理水を前記前段バンクに供給すると供に、前記前段バンクの濃縮水を前記後段バンクへ供給し、前記後段バンクの濃縮水を排水しながら、前記前段バンクの透過水と前記後段バンクの透過水とを、処理水として取得する第３の運転状態とを含む逆浸透膜装置の運転方法（請求項６）。
【００２１】
本項に記載の逆浸透膜装置の運転方法は、第１〜第３の３つの運転状態を含むものである。第１の運転状態では、被処理水を後段バンクのみに供給する。そして、後段バンクの濃縮水は、その一部を排水し、残部を後段バンクに循環させ、又、後段バンクの透過水は、前段バンクに供給する。そして、前段バンクに供給した後段バンクの透過水を、前段バンクの濃縮水室から処理水として取得する。すなわち、第１の運転状態では、後段バンクにより被処理水の浄化処理を行いながら、前段バンクの濃縮水室に、後段バンクの透過水を通水する。
又、第２の運転状態では、第１の運転状態から、後段バンクの濃縮水の排水量を小さくすることにより、後段バンクのベッセルを加圧する。更に、前段バンクの濃縮水室から取得する処理水の量を小さくすることにより、前段バンクのベッセルを加圧する。そして、前段バンクへ供給された後段バンクの透過水を、前段バンクの濃縮水室だけではなく、前段バンクの透過水室からも、処理水として取得する。すなわち、第２の運転状態では、後段バンクにより被処理水の浄化処理を行いながら、前段バンクの濃縮水室と透過水室との双方に、後段バンクの透過水を通水する。
【００２２】
又、第３の運転状態では、前段バンクに被処理水を供給し、後段バンクに前段バンクの濃縮水を供給する。そして、後段バンクの濃縮水を排水しながら、前段バンクの透過水と後段バンクの透過水とを、処理水として取得する。すなわち、第３の運転状態では、前段バンクと後段バンクとを直列に用いて、被処理水の浄化処理を行う。
そして、本項に記載の逆浸透膜装置の運転方法は、上述したような３つの運転状態を、運用に合わせて使い分けるものである。具体的には、例えば、少量の処理水を生産する場合は、逆浸透膜装置を第１及び第２の運転状態を切り替えながら運転し、大量の処理水を生産する場合は、逆浸透膜装置を第３の運転状態で運転する。これにより、少量又は大量の処理水を生産する何れの場合にも、前段バンク及び後段バンクの双方に、被処理水や透過水が供給されるため、前段バンク及び後段バンクが衛生的に保たれる。更に、重亜硫酸ナトリウム等の保持液を用いていないため、捨て水等の操作が不要であり、少量の処理水を生産している運転状態から、大量の処理水を生産する運転状態へと、即時に切り替わるものである。
【発明の効果】
【００２３】
本発明はこのように構成したので、即時に使用可能な状態で、逆浸透膜エレメントを衛生的に保管することが可能となる。
【図面の簡単な説明】
【００２４】
【図１】本発明の実施の形態に係る逆浸透膜装置を模式的に示す模式図である。
【図２】本発明の実施の形態に係る逆浸透膜装置の運転状態を示す模式図である。
【図３】本発明の実施の形態に係る、図１と異なる逆浸透膜装置を模式的に示す模式図である。
【発明を実施するための形態】
【００２５】
以下、本発明を実施するための形態を、添付図面に基づき説明する。なお、以下で説明する図１〜図３では、特に断り書きのない限り、矢印が水の流れ方向を示しており、矢印の起点側が上流側、矢印の先端側が下流側に該当する。
図１は、本発明の実施の形態に係る逆浸透膜装置１０を概略的に示している。まず、図１を参照して、本発明の実施の形態に係る逆浸透膜装置１０の概略について説明する。逆浸透膜装置１０は、例えば、災害発生時等の非常時に備え、少量の処理水を供給する平常時の運転状態と、大量の処理水を供給する非常時の運転状態とを、切り替え可能なものである。
【００２６】
図示のように、逆浸透膜装置１０は、大量の被処理水を浄化する際に主として用いられる前段バンク１２と、少量の被処理水を浄化する際に主として用いられる後段バンク１８とを含み、前段バンク１２と後段バンク１８とが直列に配置されている。又、逆浸透膜装置１０には、循環ポンプを用いた循環経路が設けられている。図１の例において、前段バンク１２は、逆浸透膜エレメント１６を直列に４本備えたベッセル１４で構成されており、又、後段バンク１８は、逆浸透膜エレメント２２を１本備えたベッセル２０で構成されている。前段バンク１２の逆浸透膜エレメント１６と、後段バンク１８の逆浸透膜エレメント２２とには、例えば、８インチのスパイラル型逆浸透膜エレメントが用いられる。
【００２７】
ここで、平常時の処理水供給量を３．５Ｌ／ｍｉｎ、非常時の処理水供給量を５０Ｌ／ｍｉｎ、水回収率を５０％として、本発明の実施の形態に係る逆浸透膜装置１０の運転方法を概略的に説明する。まず、少量の処理水を供給する平常時は、主に後段バンク１８を使用して逆浸透膜の透過水を供給するが、この際、後段バンク１８を構成するベッセル２０への、標準の供給水量４０Ｌ／ｍｉｎを確保する必要がある。このため、後段バンク１８へは、被処理水７Ｌ／ｍｉｎに加えて、後段バンク１８の濃縮水を３３Ｌ／ｍｉｎ循環させて供給する。そして、後段バンク１８から、３．５Ｌ／ｍｉｎの濃縮水を排水し、３．５Ｌ／ｍｉｎの透過水を得るようにする。又、大量の処理水を供給する非常時は、前段バンク１２へ被処理水を１００Ｌ／ｍｉｎ供給して、前段バンク１２の濃縮水を後段バンク１８へ供給する。そして、後段バンク１８から５０Ｌ／ｍｉｎの濃縮水を排水しながら、前段バンク１２と後段バンク１８とから、合計で５０Ｌ／ｍｉｎの透過水を取得する。
【００２８】
次に、図２を参照して、本発明の実施の形態に係る逆浸透膜装置１０の構成及び運転方法について、詳細に説明する。なお、図２では、被処理水及び濃縮水のラインを破線で、透過水のラインを太線で示している。
図２において、逆浸透膜装置１０は、図１と同様の構成の前段バンク１２及び後段バンク１８を含んでいる。又、逆浸透膜装置１０は、前段バンク１２に被処理水を供給するための前段供給経路３０、後段バンク１８に被処理水を供給するための後段供給経路３２、前段バンク１２の濃縮水を後段バンク１８へ供給するための中間経路３４、後段バンク１８の濃縮水を排水するための排水経路３６、後段バンク１８の濃縮水を循環するための循環経路３８を含んでいる。更に、逆浸透膜装置１０は、前段バンク１２の透過水室１２ｂを経た透過水を処理水として取得するための前段処理水経路４０、後段バンク１８の透過水を処理水として取得するための後段処理水経路４２、後段バンク１８の透過水を前段バンク１２へ供給するための保守用経路４４、及び、前段バンク１２の濃縮水室１２ａを経た後段バンク１８の透過水を処理水として取得するための保守用処理水経路４６を含んでいる。
【００２９】
前段供給経路３０は、前段供給ポンプＰ１と、前段供給ポンプＰ１の上流及び下流に配置される、前段供給バルブＶ１及び前段制御バルブＶ３とを備えており、前段供給バルブＶ１により、前段供給経路３０への被処理水の通水を制御する。前段制御バルブＶ３は、前段供給経路３０と、前段供給経路３０に合流する保守用経路４４とを、分離するためのものである。又、後段供給経路３２は、中間経路３４へ合流するものであり、後段供給ポンプＰ２と、後段供給ポンプＰ２の上流に配置される後段供給バルブＶ２とを備え、後段供給バルブＶ２により、後段供給経路３２への被処理水の通水を制御する。中間経路３４には、前段バンク１２から後段バンク１８への通水を制御する中間バルブＶ４が、後段供給経路３２と循環経路３８とからの合流位置より上流に設けられている。
【００３０】
又、排水経路３６は、後段バンク１８の濃縮水の排水量を制御する排水バルブＶ５を有している。循環経路３８は、排水経路３６から分岐して中間経路３４に合流するものであり、循環経路３８への通水を制御する循環バルブＶ６と、後段バンク１８の濃縮水を後段バンク１８へ循環する循環ポンプＰ３とを備えている。又、前段処理水経路４０には前段処理水バルブＶ９、後段処理水経路４２には後段処理水バルブＶ１０が、夫々設置されている。保守用経路４４は、後段処理水経路４２から分岐して前段供給経路３０へ合流するものであり、保守用経路４４への通水を制御する保守用バルブＶ７を備えている。保守用処理水経路４６は、中間バルブＶ４より上流で中間経路３４から分岐し、保守用処理水バルブＶ８を備えている。
【００３１】
続いて、逆浸透膜装置１０の運転方法について説明する。図２（ａ）〜（ｃ）は、夫々、逆浸透膜装置１０の第１〜第３の運転状態を示している。
図２（ａ）の第１の運転状態では、前段供給バルブＶ１を閉状態、前段供給ポンプＰ１を停止状態にすることで、前段バンク１２に被処理水を供給せずに、後段供給バルブＶ２を開状態、後段供給ポンプＰ２を起動状態にすることで、後段供給経路３２を介して、後段バンク１８のみに被処理水を供給する。この際、中間バルブＶ４は閉状態とし、後段供給経路３２と保守用処理水経路４６とを分離する。又、排水バルブＶ５を開状態にすることで、排水経路３６を介して後段バンク１８の濃縮水の一部を排水すると供に、循環バルブＶ６を開状態、循環ポンプＰ３を起動状態にすることで、循環経路３８を介して、後段バンク１８の濃縮水の残部を後段バンク１８へ循環させる。更に、後段処理水バルブＶ１０を閉状態として、後段処理水経路４２から後段バンク１８の透過水を取得せずに、保守用バルブＶ７を開状態、前段制御バルブＶ３を閉状態にすることで、保守用経路４４を介して、後段バンク１８の透過水を前段バンク１２へ供給する。そして、前段処理水バルブＶ９を閉状態、保守用処理水バルブＶ８を開状態にすることで、後段バンク１８の透過水を、前段バンク１２の濃縮水室１２ａに通水させた後、保守用処理水経路４６から処理水として取得する。
【００３２】
次に、図２（ｂ）に示す第２の運転状態について、説明の便宜上、図２（ａ）の第１の運転状態から第２の運転状態に切り替える場合を例にして説明する。第２の運転状態では、第１の運転状態よりも排水バルブＶ５の開度を絞り、後段バンク１８を加圧する。更に、第１の運転状態よりも保守用処理水バルブＶ８の開度を絞り、前段バンク１２を加圧する。そして、第１の運転状態では閉状態としていた前段処理水バルブＶ９を開状態として、後段バンク１８の透過水を、前段バンク１２の濃縮水室１２ａ及び透過水室１２ｂに通水させた後、前段処理水経路４０と保守用処理水経路４６との双方から処理水として取得する。この際、前段処理水経路４０と保守用処理水経路４６とから取得する処理水量の合計は、第１の運転状態の保守用処理水経路４６から取得する処理水量と等しい。
【００３３】
なお、第１の運転状態と第２の運転状態とを切り替える際に行う、排水バルブＶ５の開度調整は、例えば、排水経路３６に、予め、開度が大きい排水バルブＶ５ａを経る経路と、開度が小さい排水バルブＶ５ｂを経る経路とを並列に設け、第１の運転状態の際は、開度が大きい排水バルブＶ５ａを開状態、開度が小さい排水バルブＶ５ｂを閉状態とし、第２の運転状態の際は、開度が大きい排水バルブＶ５ａを閉状態、開度が小さい排水バルブＶ５ｂを開状態としてもよい。又、排水バルブＶ５に、開度調整可能なバルブを用いることとしてもよい。同じく開度調整が必要な保守用処理水バルブＶ８についても、排水バルブＶ５と同様である。
【００３４】
続いて、図２（ｃ）に示す第３の運転状態では、後段供給バルブＶ２を閉状態、後段供給ポンプＰ２を停止状態にすることで、後段バンク１８に被処理水を供給せずに、前段供給バルブＶ１及び前段制御バルブＶ３を開状態、前段供給ポンプＰ１を起動状態にすることで、前段供給経路３０を介して、前段バンク１２のみに被処理水を供給する。又、中間バルブＶ４を開状態、保守用処理水バルブＶ８を閉状態とし、前段バンク１２の濃縮水室１２ａを経た濃縮水を、中間経路３４を介して後段バンク１８へ供給する。更に、排水バルブＶ５を開状態、循環バルブＶ６を閉状態、循環ポンプＰ３を停止状態にすることで、後段バンク１８の濃縮水を、後段バンク１８へ循環させずに、排水経路３６を介して全て排水する。そして、前段処理水バルブＶ９を開状態として、前段バンク１２の透過水を、前段処理水経路４０を介して処理水として取得する。更に、保守用バルブＶ７を閉状態、後段処理水バルブＶ１０を開状態にすることで、後段バンク１８の透過水を、前段バンク１２へ供給せずに、後段処理水経路４２を介して処理水として取得する。
【００３５】
そして、本発明の実施の形態に係る逆浸透膜装置１０の運転方法は、少量の処理水を供給する平常時には、上述した図２（ａ）の第１の運転状態と、図２（ｂ）の第２の運転状態とを切り替えて運転を行い、大量の処理水を供給する非常時には、図２（ｃ）の第３の運転状態で運転を行う。平常時には、例えば、１日に２０〜３０分程度、逆浸透膜装置１０を第２の運転状態で運転し、残りの運転時間を第１の運転状態で運転する。又、第１の運転状態と第２の運転状態との切り替えは、時間経過により自動で切り替えてもよく、手動で切り替えてもよい。非常時には、例えば、逆浸透膜装置１０の図示しない制御装置に対し、コマンド入力やボタン操作等により、第３の運転状態へ切り替える命令を与えることで、第１の運転状態又は第２の運転状態から、第３の運転状態へ運転を切り替える。
【００３６】
次に、図３は、図１及び図２に示した逆浸透膜装置１０と異なる、本発明の実施の形態に係る逆浸透膜装置１０´を概略的に示している。なお、逆浸透膜装置１０´は、逆浸透膜装置１０との比較において、前段バンク１２及び後段バンク１８の構成のみが異なり、他の部分の構成や運転方法は、逆浸透膜装置１０と同様である。
図３の例において、逆浸透膜装置１０´の前段バンク１２は、逆浸透膜エレメント１６を直列に４本備えたベッセル１４ａ〜１４ｄを、４本並列にして構成されており、又、後段バンク１８は、逆浸透膜エレメント２２を直列に２本備えたベッセル２０ａ、２０ｂを、２本並列にして構成されている。前段バンク１２の逆浸透膜エレメント１６と、後段バンク１８の逆浸透膜エレメント２２とには、例えば、４インチのスパイラル型逆浸透膜エレメントが用いられる。
【００３７】
ここで、図１及び図２の逆浸透膜装置１０に対し、逆浸透膜エレメント１６と逆浸透膜エレメント２２とに、８インチのスパイラル型逆浸透膜エレメントを用い、図３の逆浸透膜装置１０´に対し、逆浸透膜エレメント１６と逆浸透膜エレメント２２とに、４インチのスパイラル型逆浸透膜エレメントを用いたと仮定する。この場合には、逆浸透膜装置１０と逆浸透膜装置１０´との、前段バンク１２及び後段バンク１８の夫々の処理水量が等しくなる。このため、逆浸透膜装置１０と逆浸透膜装置１０´とに対し、同一の水回収率及び供給水量を設定すれば、同一の処理水量が得られる。
このように、本発明の実施の形態に係る逆浸透膜装置１０、１０´は、逆浸透膜エレメント１６、２２の入手性や、装置の用途に合わせて、前段バンク１２及び後段バンク１８を任意に構成できるものである。
【００３８】
さて、上記構成をなす本発明の実施の形態によれば、次のような作用効果を得ることが可能である。
すなわち、本発明の実施の形態に係る逆浸透膜装置１０は、例えば井戸水等の被処理水を、逆浸透膜により浄化するものであり、図１に示すように、前段バンク１２と後段バンク１８とを含み、２つのバンク１２、１８の各々が、逆浸透膜エレメント１６、２２を備えたベッセル１４、２０で構成されている。更に、逆浸透膜装置１０は、図２に示すように、前段バンク１２と後段バンク１８とを用いて被処理水を浄化する際に使用する経路として、前段供給経路３０、後段供給経路３２、中間経路３４、排水経路３６、循環経路３８、前段処理水経路４０、後段処理水経路４２、保守用経路４４、及び、保守用処理水経路４６を備えている。前段供給経路３０は、被処理水を前段バンク１２に供給する際に用いられ、後段供給経路３２は、被処理水を後段バンク１８に供給する際に用いられる。すなわち、前段バンク１２と後段バンク１８とに対し、個別に被処理水の供給経路が確保されている。又、前段処理水経路４０は、前段バンク１２の逆浸透膜エレメント１６を透過した透過水を、前段バンク１２から処理水として取り出すための経路であり、後段処理水経路４２は、後段バンク１８の逆浸透膜エレメント２２を透過した透過水を、後段バンク１８から処理水として取り出すための経路である。
【００３９】
中間経路３４は、前段バンク１２と後段バンク１８との間に設けられ、前段バンク１２と後段バンク１８とを直列に用いて浄化処理を行う際に、前段バンク１２の濃縮水を後段バンク１８へ供給するために使用される。又、排水経路３６は、後段バンク１８の濃縮水を排水するための経路であり、循環経路３８は、後段バンク１８の濃縮水を後段バンク１８に循環するための経路である。排水経路３６と循環経路３８とは、後段バンク１８の濃縮水室に接続される。又、保守用経路４４は、被処理水が後段バンク１８のみに供給された際に、後段バンク１８の透過水を前段バンク１２へ供給するための経路であり、保守用処理水経路４６は、保守用経路４４を介して前段バンク１２へ供給された透過水を、前段バンク１２の濃縮水室１２ａから処理水として取得するための経路である。
【００４０】
従って、本発明の実施の形態に係る逆浸透膜装置１０は、上述したような、前段供給経路３０及び後段供給経路３２と、前段処理水経路４０及び後段処理水経路４２と、中間経路３４とを備えているため、複数のパターンの運用に対応するものである。例えば、少量の処理水を生産する場合は、図２（ａ）（ｂ）に示すように、後段供給経路３２と後段処理水経路４２とを利用して後段バンク１８のみで浄化処理を行うことができる。又、大量の処理水を生産する場合は、図２（ｃ）に示すように、前段供給経路３０と前段処理水経路４０と中間経路３４と後段処理水経路４２とを利用して、前段バンク１２と後段バンク１８とを直列に用いて浄化処理を行うことができる。更に、循環経路３８を備えていることから、例えば、少量の処理水を得るために、図２（ａ）（ｂ）に示すように、後段バンク１８のみに被処理水を供給して浄化処理を行う際に、後段バンク１８に供給する被処理水の量が、後段バンク１８を構成している逆浸透膜エレメント２２が必要とする標準の供給水量を満たさない場合であっても、循環経路３８を利用して必要水量が確保できる。すなわち、循環経路３８により後段バンク１８の濃縮水を後段バンク１８に循環することで、後段バンク１８に供給する被処理水の量と、循環する水量とを合わせて、後段バンク１８が必要とする標準の供給水量を確保することが可能となる。
【００４１】
更に、本発明の実施の形態に係る逆浸透膜装置１０は、保守用経路４４及び保守用処理水経路４６を備えているため、被処理水を後段バンク１８のみに供給する場合であっても、保守用経路４４を介して、後段バンク１８の透過水を前段バンク１２に供給することができる。そして、図２（ａ）の如く保守用処理水経路４６により、或いは、図２（ｂ）の如く保守用処理水経路４６と前段処理水経路４０とにより、前段バンク１２の濃縮水室１２ａや透過水室１２ｂから処理水を取り出すこととすれば、後段バンク１８のみに被処理水を供給しているにも関わらず、前段バンク１２に後段バンク１８の透過水を常に供給することができる。これにより、前段バンク１２と後段バンク１８との双方の逆浸透膜エレメント１６、２２を、衛生的に保持することが可能となる。更に、逆浸透膜装置１０は、逆浸透膜エレメント１６、２２の保持に重亜硫酸ナトリウム等の保持液を用いた場合に必要な、捨て水等の操作が不要である。このため、例えば、後段バンク１８のみに被処理水を供給して少量の処理水を生産している運転状態（図２（ａ）（ｂ）の状態）から、前段バンク１２と後段バンク１８とを直列に用いて、大量の処理水を生産する運転状態（図２（ｃ）の状態）に切り替える場合でも、即時に対応することが可能となる。
【００４２】
又、本発明の実施の形態に係る逆浸透膜装置１０は、図２に示すように、各経路に設置されているバルブやポンプを用いて、各経路への通水や各バンクへの供給を制御するものである。すなわち、前段供給経路３０の前段供給バルブＶ１は、前段供給経路３０に対する被処理水の通水を制御し、前段供給バルブＶ１の下流に設置される前段供給ポンプＰ１は、前段供給経路３０に通水された被処理水を前段バンク１２へ供給する。前段供給ポンプＰ１の下流に設置される前段制御バルブＶ３は、開状態（図２（ｃ）参照）で、前段供給ポンプＰ１により供給される被処理水を前段バンク１２へ通水し、閉状態（図２（ａ）（ｂ）参照）で、前段制御バルブＶ１の下流で前段供給経路３０に合流する保守用経路４４を、前段供給経路３０から分離する。又、後段供給経路３２の後段供給バルブＶ２は、後段供給経路３２に対する被処理水の通水を制御し、後段供給バルブＶ２の下流に設置される後段供給ポンプＰ２は、後段供給経路３２に通水された被処理水を後段バンク１８へ供給する。又、中間経路３４の中間バルブＶ４は、開状態（図２（ｃ）参照）で、前段バンク１２の濃縮水を後段バンク１８へ通水し、閉状態（図２（ａ）（ｂ）参照）で、中間バルブＶ４より上流で中間経路３４から分岐する保守用処理水経路４６と、中間バルブＶ４より下流で中間経路３４へ合流する後段供給経路３２及び循環経路３８とを分離する。
【００４３】
排水経路３６の排水バルブＶ５は、後段バンク１８の濃縮水の排水量を制御する。又、循環経路３８の循環バルブＶ６は、排水バルブＶ５より上流で排水経路３６から分岐する循環経路３８に対する、後段バンク１８の濃縮水の通水を制御し、循環バルブＶ６の下流に設置される循環ポンプＰ３は、循環経路３８に通水された後段バンク１８の濃縮水を後段バンク１８へ供給する。前段処理水経路４０の前段処理水バルブＶ９は、前段バンク１２からの処理水の取得や、取得する処理水量の制御を行い、後段処理水経路４２の後段処理水バルブＶ１０は、後段バンク１８からの処理水の取得や、取得する処理水量の制御を行う。保守用経路４４の保守用バルブＶ７は、後段処理水バルブＶ１０より上流で後段処理水経路４２から分岐する保守用経路４４への、後段バンク１８の透過水の通水を制御する。保守用処理水経路４６の保守用処理水バルブＶ８は、前段バンク１２に供給された後段バンク１８の透過水の、前段バンク１２からの処理水としての取得や、取得する処理水量の制御を行う。
【００４４】
そして、本発明の実施の形態に係る逆浸透膜装置１０は、上述した複数の制御の組み合わせにより、複数の運転状態で運転されるものである。例えば、図２（ａ）に示す第１の運転状態では、前段供給バルブＶ１を閉状態、前段供給ポンプＰ１を停止状態、後段供給バルブＶ２を開状態、後段供給ポンプＰ２を起動状態として、後段供給経路３２を介して後段バンク１８のみに被処理水を供給する。又、排水バルブＶ５及び循環バルブＶ６を開状態、循環ポンプＰ３を起動状態として、後段バンク１８の濃縮水の一部を、循環経路３８を介して後段バンク１８に循環しながら、後段バンク１８の濃縮水の残部を、排水経路３６を介して排水する。更に、後段処理水バルブＶ１０を閉状態、保守用バルブＶ７を開状態、前段制御バルブＶ３を閉状態とし、後段バルブ１８の透過水を、保守用経路４４を介して前段バンク１２に供給する。そして、保守用処理水バルブＶ８を開状態とし、前段バンク１２の濃縮水室１２ａを経た後段バンク１８の透過水を、保守用処理水経路４６を介して処理水として取得する。この際、中間バルブＶ４は閉状態とし、前段バンク１２の濃縮水室１２ａを経た後段バンク１８の透過水が、中間経路３４を経て後段バンク１８に供給されないようにする。すなわち、第１の運転状態では、後段バンク１８により被処理水の浄化処理を行いながら、前段バンク１２の濃縮水室１２ａに、後段バンク１８の透過水を通水する。
【００４５】
又、図２（ｂ）に示す第２の運転状態では、第１の運転状態から、排水バルブＶ５の開度を小さくして、後段バンク１８の濃縮水の排水量を小さくすることにより、後段バンク１８のベッセル２０を加圧する。更に、保守用処理水バルブＶ８の開度を小さくして、前段バンク１２の濃縮水室１２ａから取得する処理水の量を小さくすることにより、前段バンク１２のベッセル１４を加圧する。そして、前段バンク１２へ供給された後段バンク１８の透過水を、前段バンク１２の濃縮水室１２ａだけではなく、透過水室１２ｂからも、処理水として取得する。すなわち、第２の運転状態では、後段バンク１８により被処理水の浄化処理を行いながら、前段バンク１２の濃縮水室１２ａと透過水室１２ｂとの双方に、後段バンク１８の透過水を通水する。
【００４６】
又、図２（ｃ）に示す第３の運転状態では、前段供給バルブＶ１及び前段制御バルブＶ３を開状態、前段供給ポンプＰ１を起動状態、後段供給バルブＶ２を閉状態、後段供給ポンプＰ２を停止状態として、前段供給経路３０を介して前段バンク１２のみに被処理水を供給する。又、中間バルブＶ４を開状態、保守用処理水バルブＶ８を閉状態とし、前段バンク１２の濃縮水を、中間経路３４を介して後段バンク１８に供給する。更に、排水バルブＶ５を開状態、循環バルブＶ６を閉状態、循環ポンプＰ３を停止状態として、後段バンク１８の濃縮水を、後段バンク１８に循環せずに、排水経路３６を介して全て排水する。そして、前段処理水バルブＶ９及び後段処理水バルブＶ１０を開状態、保守用バルブＶ７を閉状態として、前段バンク１２の透過水は前段処理水経路４０を介して、後段バンク１８の透過水は後段処理水経路４２を介して、夫々、処理水として取得する。すなわち、第３の運転状態では、前段バンク１２と後段バンク１８とを直列に用いて、被処理水の浄化処理を行う。
【００４７】
そして、本発明の実施の形態に係る逆浸透膜装置１０は、上述したような３つの運転状態を、運用に合わせて適切に使い分けることができるものである。具体的には、少量の処理水を生産する場合は、第１及び第２の運転状態を切り替えながら運転し、大量の処理水を生産する場合は、第３の運転状態で運転すればよい。これにより、少量又は大量の処理水を生産する何れの場合にも、前段バンク１２及び後段バンク１８の双方に、被処理水や透過水が供給されるため、前段バンク１２及び後段バンク１８を衛生的に保つことができる。更に、各経路に設置されたバルブやポンプを制御することのみで、運転状態の切り替えを行うものである。このため、少量の処理水を生産している場合の、第１の運転状態と第２の運転状態との間の切り替えや、少量の処理水から大量の処理水の生産に切り替える場合の、第１及び第２の運転状態と第３の運転状態との間の切り替えに、迅速に対応することが可能となる。
【００４８】
又、本発明の実施の形態に係る逆浸透膜装置１０は、前段バンク１２のベッセル１４と後段バンク１８のベッセル２０とが、スパイラル型逆浸透膜エレメントを備えることとすれば、各バンク１２、１８において、低圧で高水量を得ることが可能となる。更に、スパイラル型逆浸透膜エレメントは、逆浸透膜エレメントとして広く利用されているため、比較的容易に入手が可能である。
【００４９】
更に、本発明の実施の形態に係る逆浸透膜装置１０は、図１及び図２に示すように、前段バンク１２が、８インチ逆浸透膜エレメント１６を直列に４本備えた１本のベッセル１４で構成され、後段バンク１８が、８インチ逆浸透膜エレメント２２を１本備えた１本のベッセル２０で構成されている。又、図３に示すように、本発明の実施の形態に係る逆浸透膜装置１０´は、前段バンク１２が、４インチ逆浸透膜エレメント１６を直列に４本備えたベッセル１４ａ〜１４ｄを、４本並列にして構成され、後段バンク１８が、４インチ逆浸透膜エレメント２２を直列に２本備えたベッセル２０ａ、２０ｂを、２本並列にして構成されている。従って、少量の処理水を生産する場合は、比較的小規模な後段バンク１８を主として用い、大量の処理水を生産する場合は、比較的大規模な前段バンク１２と後段バンク１８との双方を用いることとすれば、処理水の生産量に合わせて、効率よく浄化処理を行うことができる。
【符号の説明】
【００５０】
１０、１０´：逆浸透膜装置、１２：前段バンク、１２ａ：濃縮水室、１２ｂ：透過水室、１４、１４ａ〜１４ｄ：ベッセル、１６：逆浸透膜エレメント、１８：後段バンク、２０、２０ａ、２０ｂ：ベッセル、２２：逆浸透膜エレメント、３０：前段供給経路、３２：後段供給経路、３４：中間経路、３６：排水経路、３８：循環経路、４０：前段処理水経路、４２：後段処理水経路、４４：保守用経路、４６：保守用処理水経路、Ｐ１：前段供給ポンプ、Ｐ２：後段供給ポンプ、Ｐ３：循環ポンプ、Ｖ１：前段供給バルブ、Ｖ２：後段供給バルブ、Ｖ３：前段制御バルブ、Ｖ４：中間バルブ、Ｖ５：排水バルブ、Ｖ６：循環バルブ、Ｖ７：保守用バルブ、Ｖ８：保守用処理水バルブ、Ｖ９：前段処理水バルブ、Ｖ１０：後段処理水バルブ
【図１】
2015139750.tif 000003
【図２】
2015139750.tif 000004
【図３】
2015139750.tif 000005